(57)【要約】【課題】  畝の側面部分を叩いて整形をすると同時に、上面部分の土を硬く締めないように水平状に均すことができる畝の上面均し装置を提供する。【解決手段】  左右の駆動輪の前方には土を左右両側方にかき出す複数の湾曲爪を有する回転爪１８を備えた車体１に板面を側方に向けて畝の傾斜角度に沿う角度に傾斜させた畝叩き板８を左右に通配するとともに畝叩き板８の内側に該畝叩き板８を支持する支持フレーム７を設け、且つ前記畝叩き板８の板面で畝を叩くように前記支持フレーム７を小刻み間隔で振動させる往復駆動機構１０を備えた叩き型の畝側面整形機１において、該畝叩き板８の内側に設けた支持フレーム７に、畝叩き板８の板面の前部への近接位置から後方斜めに側方に水平状に延びるタッピング部材２の基部を、前記畝叩き板８の上部を迂回する迂回フレーム３で固定する。【選択図】      図１
2008118879.tif 000002
【特許請求の範囲】
【請求項１】
車体にエンジン及びミッションを有する駆動部と該駆動部により回転される畝間より狭い車幅の左右の駆動輪を備え、該車体の後方にはハンドルと前記駆動部の制御を行う操縦レバーとを備え、該車体の前方には土を左右両側方にかき出す回転爪とその爪を回転させる回転機構を備え、該車体の側方には畝側面の傾斜角度に対応させて板面を側方に向けて配するとともに内面に板面を支える支持フレームを設けた畝叩き板を備え、該車体上に前記支持フレームに固定された往復動軸を介して前記畝叩き板を小刻み間隔で畝の側面を叩くように往復させる往復駆動機構を備えた高畝成形機において、
前記高畝成形機を進行中に前記畝叩き板で畝の側面を整形すると同時に前記畝叩き板の往復動と一体的に作動して畝の上面を小刻み間隔にタッピングしつつ土を斜め側方に押し出して畝上面を水平状に整形するタッピング部材を前記畝叩き板の支持フレームに配着したことを特徴とする畝の上面均し装置。
【請求項２】
タッピング部材を、畝叩き板の板面の前上部寄りから斜め後方に向けて水平状に側方に突出させるとともに、該タッピング部材の基部を前記畝叩き板内側の支持フレームに前記畝叩き板の板面に接触しないように上方に湾曲させた迂回フレームを介して固定したことを特徴とする請求項１に記載の畝の上面均し装置。
【請求項３】
タッピング部材と支持フレームとの間にタッピング部材の上下高さを調節可能とする高さ調節機構を備えたことを特徴とする請求項１又は２に記載の畝の上面均し装置。
【請求項４】
タッピング部材の固定部に、該タッピング部材の下端辺縁の水平方向に対する傾斜角度を調節可能とする畝上面傾斜角度調節機構を備えたことを特徴とする請求項１から３のうちいずれか１項に記載の畝の上面均し装置。
【請求項５】
タッピング部材の固定部に、該タッピング部材の下端辺縁の板面に対する側方向の傾斜角度を４０度から７０度の範囲に調節可能とする側方角度調節機構を備えたことを特徴とする請求項１から４のうちいずれか１項に記載の畝の上面均し装置。
【請求項６】
タッピング部材が板状であり、その固定部に、前記タッピング部材の板面の垂直方向に対する傾斜角度を調節可能とする板面垂直角度調節機構を備えたことを特徴とする請求項１から５のうちいずれか１項に記載の畝の上面均し装置。
【請求項７】
タッピング部材が板状であり、その上縁に後ろ向きの水平補強板を設けてタッピング部材を断面逆Ｌ字型に形成したことを特徴とする請求項１から６のうちいずれか１項に記載の畝の上面均し装置。
【発明の詳細な説明】
【技術分野】
【０００１】
本発明は、叩き型の畝側面整形機に装着して用い、畝の上面を水平に均すための装置に関する。
【背景技術】
【０００２】
本発明者は、先に畝の側面を叩いて高く形成する特許文献１の高畝成形機を提案した。
この高畝成形機は、前方のロータリで掻き上げた土をその後方の鎮圧部で畝の側面を叩いて整形するもので、動力の伝達効率や確実な駆動に優れ、また組立て時には調節をせずに作業時での簡単な微調整で使用でき、さらに機体全体のコンパクト化を実現することができた。
他方、畝の上面部分を板面で叩いて平面に形成する装置の提案もなされている。
【特許文献１】特願２００２−２８１８０１号公報
【発明の開示】
【発明が解決しようとする課題】
【０００３】
上記特許文献１の高畝成形機においては、鎮圧部で畝の側面部分を叩いて整形できるが、畝の上面部分は不規則に盛り上げられたままで、この作業において作られた畝は上面両側が不規則に盛り上がって中央部分が窪んだ状態になり、そのままでは作物を管理し育成するのに適するものではなかった。
この畝は上面部分を成形するためのこれまでの装置は、板面で叩いて平に形成するものであったので、上面を平面にすることはできるが、叩くことにより土が固く締ってしまい、作物を育てる畝の上面部分の通気性や通水性が低下し、作物の根にとって悪影響が生じ、正常な育成を妨げ、さらに固まった土では植え付けなどの作業能率の低下を来たす問題があった。
そこで、本発明は畝の側面部分を叩いてその側面部分の整形をすると同時に、畝の上面部分も、土を硬く締めないで柔らかく水平状に均し、畝の全体を同時に農作物を育てるのに適した状態にすることができる畝の上面均し装置を提供することを目的とする。
【課題を解決するための手段】
【０００４】
上記課題を解決するため、本発明の畝の上面均し装置の請求項１記載の発明は、車体にエンジン及びミッションを有する駆動部と該駆動部により回転される畝間より狭い車幅の左右の駆動輪を備え、該車体の後方にはハンドルと前記駆動部の制御を行う操縦レバーとを備え、該車体の前方には土を左右両側方にかき出す回転爪とその爪を回転させる回転機構を備え、該車体の側方には畝側面の傾斜角度に対応させて板面を側方に向けて配するとともに内面に板面を支える支持フレームを設けた畝叩き板を備え、該車体上に前記支持フレームに固定された往復動軸を介して前記畝叩き板を小刻み間隔で畝の側面を叩くように往復させる往復駆動機構を備えた高畝成形機におけるものである。
そして、前記高畝成形機を進行中に前記畝叩き板で畝の側面を整形すると同時に前記畝叩き板の往復動と一体的に作動して畝の上面を小刻み間隔にタッピングしつつ土を斜め側方に押し出して畝上面を水平状に整形するタッピング部材を前記畝叩き板の支持フレームに配着したことを特徴とする。
【０００５】
請求項２に記載の発明は、上記発明の構成において、前記タッピング部材を、畝叩き板の板面の前上部寄りから斜め後方に向けて水平状に側方に突出させるとともに、該タッピング部材の基部を前記畝叩き板内側の支持フレームに前記畝叩き板の板面に接触しないように上方に湾曲させた迂回フレームを介して固定したことを特徴とする。
【０００６】
請求項３に記載の発明は、上記各発明の構成において、前記タッピング部材と支持フレームとの間にタッピング部材の上下高さを調節可能とする高さ調節機構を備えたことを特徴とする。
【０００７】
請求項４に記載の発明は、上記各発明の構成において、前記タッピング部材の固定部に、該タッピング部材の下端辺縁の水平方向に対する傾斜角度を調節可能とする畝上面傾斜角度調節機構を備えたことを特徴とする。
【０００８】
請求項５に記載の発明は、上記各発明の構成において、前記タッピング部材の固定部に、該タッピング部材の下端辺縁の板面に対する側方向の傾斜角度を４０度から７０度までの範囲に調節可能とする側方角度調節機構を備えたことを特徴とする。
【０００９】
請求項６に記載の発明は、上記各発明の構成において、前記タッピング部材が板状であり、その固定部に前記タッピング部材の板面の垂直方向に対する傾斜角度を調節可能とする板面垂直角度調節機構を備えたことを特徴とする。
【００１０】
請求項７に記載の発明は、上記各発明の構成において、前記タッピング部材が板状であり、その上縁に後ろ向きの水平補強板を設けてタッピング部材を断面逆Ｌ字型に形成したことを特徴とする。
【発明の効果】
【００１１】
本発明の上面均し装置は以上の構成なので、以下のような効果を奏することができる。
まず請求項１記載の発明にあっては、前記タッピング部材によって、高畝成形機を進行中に前記畝叩き板で畝の側面を整形すると同時に前記畝叩き板の往復動と一体的に作動して畝の上面を小刻み間隔にタッピングしつつ土を斜め側方に押し出して畝上面を水平状に整形することが可能となり、別途に畝の上面を整形するの比べると格段の農作業の効率向上となる。
【００１２】
形成された畝は、側面部分は小刻み間隔に前記畝叩き板の板面で叩いて畝の側面を容易に崩れないように固く締められ、同時にその畝の上面部分はタッピング部材により盛り上がっている土を小刻み間隔の包丁で刻むような上下動で弾きながら、高畝成形機の前進によってタッピング部材が畝の上面を、板の板面で平らに叩くものではなく、タッピング部材の狭い幅の下辺縁で土を小刻み間隔に包丁で刻むように土を弾きながら線的に叩きつつ上面を前進方向に削り取るように整形するものなので土は固く締まることなく柔らかい状態で整形することが可能となる。
また、このときタッピング部材は左右両側方に後ろ向きに傾斜しているので、力のベクトルが側方にも働いて、タッピング部材の前側部分に当たった土が側方に押し遣られつつタッピング部材が前進し、タッピング部材が通過した後ろ側の畝の上面は略水平状態に均される。
【００１３】
このように形成された畝の柔らかい上面部分は、作物を育てるのに適した通気性、通水性が得られ、作物の根にとって非常に好ましい育成条件に形成される。
【００１４】
また、畝上面の土は柔らかい状態となっているので、指を土に差し込むときの抵抗が少なく、指刺し植え付けが容易に行えるようになるのでそのような苗を扱う農作業の能率を大幅に高めることが可能となり、またこのことは、上面をあらためて耕し直す手間も省くことが可能ともなり農作業上の効果は計り知れない。
【００１５】
さらに本発明は、タッピング部材を高畝成形機の畝叩き板に固定した簡潔な構造となっており、本発明の実施にあたり、その製品の部材の製造及び取り付けが容易にでき、このコストは高畝成形機の部品のなかでも小さいものであるにもかかわらず、上記の如く農作業における効果は非常に大きいものがある。
【００１６】
また、請求項２記載の発明では、上方に湾曲させた迂回フレームで前記タッピング部材の基部を前記畝叩き板内側の支持フレームに前記畝叩き板の板面に接触しないよう固定しされており、この迂回フレームによる振れがタッピング部材の振れに弾力性を生じさせ、タッピング部材に当たった土を弾き出させるようになる。
【００１７】
さらに、請求項３に記載の発明は、高さ調節機構で畝の高さに合わせて前記タッピング部材の上下高さが調節できるので、畝の高さが変わるごとに、簡単にタッピング部材を随時の任意の高さにすることが可能となる。
【００１８】
請求項４に記載の発明は、畝上面傾斜角度調節機構で前記タッピング部材の下端辺縁の水平方向に対する傾斜角度を随時調節可能して畝の上面に所望の傾斜を付けることが容易に可能となる。
【００１９】
請求項５に記載の発明は、側方角度調節機構で前記タッピング部材の下端辺縁の板面に対する側方向の傾斜角度を４０度から７０度範囲に調節可能でき、その角度の調節で土の硬さなどに応じた角度にして効果的に土を側方に向けて寄し出すことが可能となる。
【００２０】
請求項６に記載の発明は、前記タッピング部材を板状としたものであり、その板面の垂直方向に対する傾斜角度を調節可能にする板面垂直角度調節機構を備えたことで、タッピング板の板面角度を得たい土の硬さに応じて、前傾角度を決めることが可能となり、この角度を大きくするほど固い状態に、畝の上面の土の硬さが得られようになる。
【００２１】
請求項７に記載の発明は、前記板状のタッピング部材の上縁に後ろ向きの水平補強板を設けることによって、タッピング板が薄くても板面で押し出す作用を有するタッピング部材として強度をより高めることが可能となる。
【発明を実施するための最良の形態】
【００２２】
本発明を実施するための最良の形態を以下図に基づいて説明する。
本発明の畝の上面均し装置は、畝叩き板を備えた高畝成形機に取り付けたものである。
その高畝成形機は、図１に示すように、車体１ａの中央上部にミッションカバー２７などで覆ったエンジン及びミッションを有する駆動部１１を備え、その車体１ａの下部に該駆動部１１により回転される畝間より狭い車幅の左右の駆動輪１２、１３を備え、この車体１ａの前記駆動部１１の上部には後方に向けて外開きに左右一対のハンドル１４、１４を備え、そのハンドル１４、１４の先端に作業員が握るグリップ１５、１５と前記駆動部１１の制御を行うグリップ操縦レバー１６及び前進・後進の切替えシャフト２６とが備わる。
【００２３】
そして、前記駆動輪１２、１３の前方には進行前方にある土を削って左右両側方に掻き出す複数の湾曲爪１９を有する左右の回転爪１８とその回転爪１８を前記駆動部１１に繋がって回転させる回転機構１７を備える。
さらに、前記回転爪１８の後方には前記車体１ａの前部を覆い畝間の平らな谷溝底を形成する整形板２０を設け、その整形板２０の前方の回転爪１８の上方には、前記回転爪１８によって掻き上げられた土を捌くための、真上の上カバー２１と、その側方に張り出した張出しカバー２２が取り付けられる。
そして、この高畝成形機１の前記回転爪１８の作業深さと走行安定性をはかるため、前記上カバー２１の中間には、前記上カバー２１を固定したフレームを貫通状態に枢支され、突出した上端に方向ハンドル２５を備えた支持軸２４の下端部に車体１ａ支えるガイド小車輪２３が装着されている。
【００２４】
さらに、図２の示すように、前記駆動輪１２、１３の側方には、前記回転爪１８位置より外側位置に、畝側面の傾斜角度に対応させて板面を側方に向けて配するとともに内面に板面を支える支持フレーム７を設けた畝叩き板８を備え、その車体上に前記支持フレーム７の板面前側下部寄りに固定された往復動軸９を介して前記駆動部１１による前記駆動輪１２、１３の駆動と連動して前記畝叩き板８を小刻み間隔で畝の側面を叩くように往復させる往復駆動機構１０を備える。
【００２５】
そして、前記高畝成形機１を進行中に前記畝叩き板８で畝の側面を整形すると同時に前記畝叩き板８の往復動と一体的に作動して畝の上面を小刻み間隔にタッピングしつつ土を斜め側方に押し出して畝上面を略水平に整形するタッピング部材２を前記畝叩き板８の支持フレーム７に配着する。
前記タッピング部材２の前記支持フレーム７への配着は、各種態様が可能であるが、図１では、畝叩き板８の板面の前上部寄りから斜め後方に向けて略水平に側方に突出させるとともに、該タッピング部材４の基部を前記畝叩き板８内側の支持フレーム７に前記畝叩き板８の板面に接触しないように上方に湾曲させた迂回フレーム３を介して固定した形態を示している。
【００２６】
次ぎに、前記タッピング部材２をさらに詳しく説明する。
前記畝叩き板８は、図２に示すように、畝Uの側面U2を叩いて畝を整形する叩き型の高畝成形機１に対して、その畝Uの上面U１を均すためのものである。
前記タッピング部材２は長い板状や棒状の金属性部材を使用するが、本形態では板状のもので以下説明する。
前記タッピング部材２の長い板状のタッピング板４は、長さは、図２に示すように、畝Ｕの両側から畝Ｕの上面Ｕ1全体が均せるように、畝幅の少なくとも半分以上の長さを必要とし、畝の上面Ｕ１の全体に届く長さであれば充分である。
このタッピング板４は、一定の板幅Ｈを有しその板面を立てて迂回フレーム３の先端部３ａに固定する。
【００２７】
また、前記タッピング板４の前記畝叩き板８に対する固定高さ位置は、使用するときの畝上面Ｕ1の設定高さに合わせた位置にタッピング板４の下端辺縁４ａが達するように固定する。
そして、図４に示すように、前記タッピング板４は、前記畝叩き板８板面の前上部寄りの板面近接位置から斜め後方の板面に対して４０から７０度の範囲（図中のＦで示す）に向けて略水平に配して前記支持フレーム７に固定する。
このように、前記タッピング板４を斜め後方に向けたのは、前記高畝成形機１を進行中に前記畝叩き板８で畝Ｕの側面を整形すると同時に前記畝叩き板８の往復動と一体的に作動して畝の上面Ｕ1を小刻み間隔にタッピングしつつ土を斜め側方に押し出して畝上面Ｕ1  を略水平に整形できるようにするためである。
【００２８】
このタッピング部材２の前記畝叩き板８の板面に対する角度の設定では、通常の最適な角度は４５度〜５０度であるが、土の固さや土質などに応じて適宜４０度から７０度の範囲で決めると良い。
しかし、このタッピング部材２の角度が４０度以下又は７０度以上にすると、効果的に土を中央に向けて押し出することができなくなるので好ましくない。
そして、４０度より小さい場合には、畝の上面Ｕ１の全体に届く長さにしようとすると、相当に長くしなければならず、その分タッピング部材２は大きな重量となり振りにくくなるとともに耐久性や強度に難点が生じる。
また７０度より大きいと、土を側方に寄せる力のベクトルが小さくなり、板幅Ｈの高いタッピング板４を用いても、前進中に寄せた土が側方へ行かずタッピング板４前に盛り上がって、タッピング板４の上を土が乗り越えて、その後ろに落ちてしまい、畝の上面を平に均すことができなくなる。
【００２９】
前記タッピング部材２の高さ調節については、図７に示すように、前記タッピング板４を固定した前記迂回フレーム３の基端部３ｂが挿通可能な迂回フレーム受筒体５を前記支持フレーム７に縦に固着し、差し込まれた前記迂回フレーム３の基端部３ｂが迂回フレーム受筒体５の側面に設けた高さ調節固定ネジ６で任意高さに調節してその位置で前記迂回フレーム３の基端部３ｂを固定できるようにすることができる。
そして、この高さ調節機構を使用するときに前記タッピング板４の高さを畝の上面高さに合わせて任意の高さに固定して畝の高を整形することが可能となる。
【００３０】
なお、前記タッピング板４は、前記迂回フレーム３を用いずに前記畝叩き板８板面の前上部寄り位置から斜め後方に向けて略水平に直接突出させて前記支持フレーム７に固定することも可能である。
【００３１】
上記本発明では高畝成形機１を進行中に、図３に示すように、前記畝叩き板８の振れ角度（図左のα）と同様な垂直振動角（図上のα）で同時に往復動しつつ前記タッピング板４の先端部が振れつつ前記タッピング板４の下端辺縁４ａに若干側方向の力のベクトルが生じ、図１１の（イ）に示すように、盛り上げられている前方の土の上部を側方に向けて押し遣るのを助ける。
【００３２】
さらに、前記畝叩き板８の振動と連動した前記タッピング板４の振動は、畝叩き板８の板面の前上部寄りから斜め後方に向けてあるので、側方向の前記畝叩き板８が往復するときに前記畝叩き板８の後部が多少大きく振れるので、図４に示すように、前記畝叩き板８の振れ角度と連動した水平振動角βで水平方向にも往復振動する。
この記タッピング板４の往復振動は、前記畝叩き板８の振動が伝わり、盛り上げられている前方の土の上部を前側方に向けて弾き飛ばす作用がある。このため畝Uの上面U1に盛り上げられた土の塊はさらに砕かれて柔らかくなる。
【００３３】
また、前記タッピング板４が、前記畝叩き板８板面の前上部寄りの板面近接位置から斜め後方に向けて略水平に配されているが、図５に示すように、前記迂回フレーム３の先端部３ａに支持板３１を介して前記タッピング板４が固定され、その支持板３１には前記タッピング板４の側方向に対する傾斜角度を調節する角度調節固定ネジ３０を設けて、前記タッピング板４の下端辺縁４ａが水平方向に角度が調節できるように装着可能とする側方角度調節機構３２を設けることができる。
前記高畝成形機１の移動で前の盛土に対して前進の力のベクトルＢと押し出す力のベクトルＣの合力のベクトルＡが生じるが、この側方角度調節機構３２によって、前記タッピング板４の側方向に対する傾斜角度を、図５中の一点鎖線で示すように大きくすると、前記高畝成形機１の移動で前進の力のベクトルｂと押し出す力のベクトルｃの合力のベクトルａが生じ、このとき、傾斜角度が小さい場合における側方向の力のベクトルＣよりも大きな側方向の力のベクトルｃが生じ、より大きな力で盛り上げられた土を、側方に向けて押し広げて略水平に均していく。
このため、前記高畝成形機１の移動速度が速まっても前記タッピング板４の上面均し高さＨを超えて均した面に積み重なる土被りが発生せずに、効率良く側方に向けて押し遣っていくことができる。
【００３４】
またこの側方角度調節機構３２の角度の調節によって、農地の土質に合わせて前記高畝成形機１の移動速さを高めることが可能となり、作業のスピードアップが実現する。
これと同様に、図６に示すように、前記タッピング板４の先端部側を湾曲させる（図中の符号３３に示す部分）ことにより、側方に寄せられたて部分的に多く集まった土を前記タッピング板４の上面均し高さＨを超える前に先端側の土を側方に向けて多く押し遣って土被りを防ぐようにすることもできる。
【００３５】
さらにまた、前記タッピング板４は、図８に示すように、前記迂回フレーム３の先端部３ａに支持板を介して前記タッピング板４が固定され、その支持板３４には前記タッピング板４の水平方向に対する傾斜角度γを調節可能に角度調節固定ネジ３５を設けて、前記タッピング板４の下端辺縁４ａを水平方向に角度が調節できるように装着可能とする畝上面傾斜角度調節機構３６を設けることができる。
この畝上面傾斜角度調節機構３６による前記タッピング板４の角度の調節によって畝Ｕの上面Ｕ1に若干の傾斜を付けることが可能となる。
畝Ｕの上面Ｕ1に若干の傾斜を付けと、例えば、上面Ｕ1を南下がり勾配にすれば、上面Ｕ1が太陽に向くので日照を有効に受けて畝上面Ｕ1の温度を高め、植物の生育を促進し、また水が流れ易くなるので、水溜りを嫌う農作物や、種類によっては梅雨時の根腐れになりやすい農作物の病害防止にもなる。
【００３６】
また、前記タッピング板４は、図１１に示すように、前記迂回フレームの先端部に、その支持板３８を介して前記タッピング板４の板面の垂直方向に対する傾斜角度θを調節可能にする調節ネジ２８による板面垂直角度調節機構３７を設けることができる。
図１１の（イ）に示すように、高畝成形機の前進で前記タッピング板４の前の土を押し出し、盛り上がった土Ｍに対してその内部の土粒Ｔに対して、板面が垂直方向の場合では前方向の力のベクトルｄしか発生しないが、板面下向きに傾斜させれば、  図１１の（ロ）に示すように、タッピング板４の板面角度によってタッピング板４が移動すると下方向の力のベクトルｅが生じるが、このベクトルｅは前傾角度θの大きさでベクトルの大きさを調節できるので、得たい土の硬さに応じて、前傾角度を決め、角度を大きくするほど均した土Ｋの硬さを得られるようになる。
逆に板面を上向きに傾斜させると上に掻き揚げるようにベクトルが発生し上面をより柔らかく整えることができる。
【００３７】
さらに、その図１１に示すように、前記タッピング板４の上端辺縁４ｂから後ろ向きに水平補強板２９を設けてタッピング板を断面Ｌ字型に形成すれば、前記タッピング板４の補強となるので、タッピング板が薄くても高い強度が得られる。
【００３８】
なお、図９に示すように、前記タッピング板４の板面を、前方を窪ませた断面劣弧状３９に形成すれば、前進中に下に振れるとき、前記タッピング板４の下端辺縁４ａが土に刺さるように進むので前進中に上に振れるとき、土の跳ね上げが大きくなり土が分散しやすくなり、より軟らかい畝上面U1を整形できる。
【００３９】
また、図１０に示すように、前記タッピング板４の板面の下端辺縁４ａを鋸歯状乃至熊手状４０に形成すれば、突出した先端で固まった土塊を効果的に刺し砕いて畝の上面の土肌を種蒔きに適した面に形成することができる。
【産業上の利用可能性】
【００４０】
本発明は、叩き型の高畝成形機に使用するものであるが、支持フレームを小刻み間隔で往復させる往復機構を備えるものであれば他種の畝整形機にも取り付けて使用することが可能となる。
【図面の簡単な説明】
【００４１】
【図１】タッピング部材が装着された高畝成形機を示す斜視図である。
【図２】畝叩き板とタッピング部材とが畝面を押した状態を示す一方側の要部の正面図である。
【図３】畝叩き板とタッピング部材とが畝面から離れた状態を示す一方側の要部の正面図である。
【図４】タッピング部材の横方向の振れ方を示す平面図である。
【図５】タッピング部材の側方角度調節機構を備えた形態を示す平面図である。
【図６】先端部側を湾曲させたタッピング部材の形態を示す平面図である。
【図７】タッピング部材の高さ調節固定可能な形態を示す正面図である。
【図８】タッピング部材の畝上面傾斜角度調節機構を備えた形態を示す正面図である。
【図９】断面劣弧状のタッピング部材を示す斜視図である。
【図１０】鋸歯状乃至熊手状のタッピング部材を示す正面図である。
【図１１】タッピング部材の板面垂直角度調節機構を備えた形態の（イ）が板面垂直の場合の、（ロ）が板面前傾の場合の各側面図である。
【符号の説明】
【００４２】
１    高畝成形機
１ａ  車体
２    タッピング部材
３    迂回フレーム
３ａ  迂回フレームの先端部
３ｂ  迂回フレームの基端部
４    タッピング板
４ａ  タッピング板の下端辺縁
４ｂ  タッピング板の上端辺縁
５    迂回フレーム受筒体
６    高さ調節固定ネジ
７    支持フレーム
８    畝叩き板
９    往復動軸
１０    往復機構
１１    駆動部
１２    左の駆動輪
１３    右の駆動輪
１４    ハンドル
１５    グリップ
１６    操縦レバー
１９    湾曲爪
１８    左右の回転爪
１７    回転機構
２０    整形板
２１    上部カバー
２２    張出しカバー
２３    ガイド小車輪
２４    支持軸
２５    方向レバー
２６    切替えレバー
２７    ミッションカバー
２８    調節ネジ
２９    水平補強板
３０    角度調節固定ネジ
３１    支持板
３２    側方角度調節機構
３３    湾曲部分
３４    支持板
３５    角度調節固定ネジ
３６    畝上面傾斜角度調節機構
３７    板面垂直角度調節機構
３８    支持板
３９    断面劣弧状部分
４０    鋸歯状乃至熊手状部分
Ｕ    畝
Ｕ１  畝の上面
Ｕ２  畝の傾斜側面
α    垂直振れ角
β    水平振れ角
γ    水平傾斜角
θ    板面倒れ角
Ｍ    盛り上がった土
Ｔ    土粒
Ｋ    均した土
ｄ    前方向の力のベクトル
ｅ    下方向の力のベクトル
H    板幅
Ｆ    後方傾斜角度
【図１】
2008118879.tif 000003
【図２】
2008118879.tif 000004
【図３】
2008118879.tif 000005
【図４】
2008118879.tif 000006
【図５】
2008118879.tif 000007
【図６】
2008118879.tif 000008
【図７】
2008118879.tif 000009
【図８】
2008118879.tif 000010
【図９】
2008118879.tif 000011
【図１０】
2008118879.tif 000012
【図１１】
2008118879.tif 000013